(57)【要約】【課題】本発明は、従来の蛍光ランプと同形状を維持しつつ、コネクタ及びケーブルをランプ端部内に収納し、外観を損なわないランプ及びランプを用いた照明装置を提供することを目的とする。【解決手段】上記課題を解決するために、少なくともひとつの光源と、前記光源から発する光を透過又は拡散させる第１の外郭カバーとコネクタを具備したランプにおいて、前記ランプは直管蛍光ランプと略同形状であり、  前記光源は前記第１の外郭カバー内に内蔵されており、当該ランプの両端には、照明器具に接続するための保持構造を具備し、前記光源を駆動させる電源回路が前記ランプから独立しており、前記電源回路から出力される電気的出力は前記電源回路に接続されたケーブル及び前記コネクタを介して前記光源に給電され、前記コネクタは前記ランプ内に収納され、前記ランプの外郭に第２の外郭カバーを設けることで前記コネクタ及び前記ケーブルの一部を覆う。【選択図】  図５
2014103118.tif 000002
【特許請求の範囲】
【請求項１】
少なくともひとつの光源と、前記光源から発する光を透過又は拡散させる第１の外郭カバーとコネクタを具備したランプにおいて、
前記ランプは直管蛍光ランプと略同形状であり、
前記光源は前記第１の外郭カバー内に内蔵されており、
当該ランプの両端には、照明器具に接続するための保持構造を具備し、前記光源を駆動させる電源回路が前記ランプから独立しており、前記電源回路から出力される電気的出力は前記電源回路に接続されたケーブル及び前記コネクタを介して前記光源に給電され、前記コネクタは前記ランプ内に収納され、前記ランプの外郭に第２の外郭カバーを設けることで前記コネクタ及び前記ケーブルの一部を覆うことを特徴とするランプ。
【請求項２】
請求項１に記載のランプにおいて、
前記コネクタ及び第２の外郭カバーは前記ランプの端部に具備されていることを特徴とするランプ。
【請求項３】
請求項１又は２に記載のランプにおいて、
前記コネクタ及び第２の外郭カバーは前記保持構造の一端部もしくは両端部に具備されていることを特徴とするランプ。
【請求項４】
請求項１乃至３の何れかに記載のランプにおいて、
前記第２の外郭カバーと前記コネクタが一体構造であることを特徴とするランプ。
【請求項５】
請求項１乃至４の何れかに記載のランプにおいて、
前記光源がＬＥＤ，有機ＥＬ，ＣＣＦＬであることを特徴とするランプ。
【請求項６】
ＬＥＤと、当該ランプを照明器具に保持するための絶縁性の保持構造と、前記ＬＥＤと接続し当該ランプ外に設けられた電源回路からケーブルを介して前記ＬＥＤに給電するコネクタと、を有するランプにおいて、
前記ランプは直管蛍光ランプと略同形状であり、
前記ケーブルの一部と前記コネクタとを覆うカバーを有することを特徴とするランプ。
【発明の詳細な説明】
【技術分野】
【０００１】
本発明は外郭カバー内に光源を有し、ランプ外部に設けられた電源回路からコネクタを介して給電する方式のランプ及びランプを用いた照明装置に関するものである。
【背景技術】
【０００２】
近年、従来の白熱電球や蛍光ランプの他に光源にＬＥＤや有機ＥＬ等の新光源を用いた製品が開発されている。またその他にもＣＣＦＬを複数本並べて熱陰極蛍光ランプの代替えにする製品等もある。中でも近年直管蛍光ランプの代替えとして直管形状の直管形ＬＥＤランプが注目を集めている。直管形ＬＥＤランプには、直管蛍光ランプ用口金と互換口金を用い、従来の照明器具に取り付け可能なタイプと全く新しい口金を用いたタイプがあるが、現在は手軽にＬＥＤ化が可能な前者が注目されている。
【０００３】
直管形ＬＥＤランプは主に基板上に実装された複数のＬＥＤとＬＥＤから発する熱を放熱するヒートシンク，ＬＥＤの光を拡散させる樹脂カバー、及び口金から構成されている。ＬＥＤの駆動方式もいくつか分かれており、特許文献１のように安定器から供給される電力をランプ内に内蔵されている駆動回路でＤＣに変換しＬＥＤに供給する「既設安定器接続タイプ」や、特許文献２のように商用電源とランプ口金を直接接続し、ランプ内に内蔵されている駆動回路でＤＣに変換しＬＥＤに給電する「商用電源直結タイプ」や、ＬＥＤ駆動回路をランプ外に設け、ランプ外駆動回路からＤＣ電圧をランプ（ＬＥＤ）に供給する「外付電源タイプ」や、特許文献３や非特許文献４のように従来の口金は機械的保持の目的でのみ使用し、給電はコネクタから行う「コネクタ給電タイプ」等がある。
【０００４】
従来のコネクタ給電方式のランプを例に照明器具への設置手順を元にコネクタの接続方法について説明する。
【０００５】
図１は従来のコネクタ給電方式直管形ＬＥＤランプを照明器具に設置した例の図で、照明器具１，照明器具１内に設置された電源回路２，直管形ＬＥＤランプ３，直管形ＬＥＤランプ３を保持するソケット４，コネクタ５からなる。電源回路２の出力はコネクタ５を介して直管形ＬＥＤランプ３に接続されており、照明器具１にはコネクタ５及びリード線を通すための開口穴を設けている。
【０００６】
もう一つの従来のコネクタ給電方式直管形ＬＥＤランプの例として、図２に２灯用直付器具に直管形ＬＥＤランプを装着した際の簡易断面図を用いた例を示す。図１とは異なりコネクタが口金ピンの水平方向、つまり照明器具に取り付けた際の横方向に配置されている例であり、反射板６、反射板６内に収納された電源回路７、直管形ＬＥＤランプ８，１１、コネクタ９，１２、電源回路７とコネクタを繋ぐリード線１０，１３から構成される。
【先行技術文献】
【特許文献】
【０００７】
【特許文献１】特開２０１０−９７９４２号公報
【特許文献２】特許第４３２８３７９号公報
【特許文献３】特開２０１０−２７２３７７号公報
【非特許文献】
【０００８】
【非特許文献１】２０１０年１０月三菱電機オスラム(株)発行カタログ「三菱直管形蛍光灯照明器具」
【発明の概要】
【発明が解決しようとする課題】
【０００９】
特許文献３や非特許文献１に記載の「コネクタ給電タイプ」は主に照明器具の反射板にコネクタケーブルを通すための開口孔を設け、ランプ表面に設けられたコネクタ端子にコネクタを接続し給電する。しかし、ランプ〜開口孔間にケーブルが露出するため外観を損なうことやケーブルが影となって照明環境を損なう等の恐れがある。また、コネクタがランプ表面に接続されるため、照明器具の種類によっては、コネクタが照明器具に干渉し取り付けできない恐れがある。
【００１０】
本発明は、従来の蛍光ランプと同形状を維持しつつ、コネクタ及びケーブルをランプ端部内に収納し、外観を損なわないランプ及びランプを用いた照明装置を提供することを目的とする。また、照明器具との干渉や感電防止の効果を持つ使い勝手と機能性を兼ね備えたランプを提供することを目的とする。
【課題を解決するための手段】
【００１１】
上記課題を解決するために、  少なくともひとつの光源と、前記光源から発する光を透過又は拡散させる第１の外郭カバーとコネクタを具備したランプにおいて、前記ランプは直管蛍光ランプと略同形状であり、前記光源は前記第１の外郭カバー内に内蔵されており、  当該ランプの両端には、照明器具に接続するための保持構造を具備し、前記光源を駆動させる電源回路が前記ランプから独立しており、前記電源回路から出力される電気的出力は前記電源回路に接続されたケーブル及び前記コネクタを介して前記光源に給電され、前記コネクタは前記ランプ内に収納され、前記ランプの外郭に第２の外郭カバーを設けることで前記コネクタ及び前記ケーブルの一部を覆うことを特徴とする。
【００１２】
あるいは、上記課題を解決するために、ＬＥＤと、当該直管形ＬＥＤランプを照明器具に保持するための絶縁性の保持構造と、前記ＬＥＤと接続し当該直管形ＬＥＤランプ外に設けられた電源回路からケーブルを介して前記ＬＥＤに給電するコネクタと、を有する直管形ＬＥＤランプにおいて、前記ケーブルの一部と前記コネクタとを覆うカバーを有することを特徴とする。
【発明の効果】
【００１３】
少なくともひとつの光源と、前記光源から発する光を透過又は拡散させる第１の外郭カバーとコネクタを具備したランプにおいて、前記ランプは直管蛍光ランプと略同形状であり、前記光源は前記第１の外郭カバー内に内蔵されており、  当該ランプの両端には、照明器具に接続するための保持構造を具備し、前記光源を駆動させる電源回路が前記ランプから独立しており、前記電源回路から出力される電気的出力は前記電源回路に接続されたケーブル及び前記コネクタを介して前記光源に給電され、前記コネクタは前記ランプ内に収納され、前記ランプの外郭に第２の外郭カバーを設けることで前記コネクタ及び前記ケーブルの一部を覆うことにより、従来の蛍光ランプと同形状を維持しつつ、コネクタ及びケーブルをランプ端部内に収納し、外観を損なわないランプを提供することができるという効果を奏する。
【００１４】
あるいは、ＬＥＤと、当該直管形ＬＥＤランプを照明器具に保持するための絶縁性の保持構造と、前記ＬＥＤと接続し当該直管形ＬＥＤランプ外に設けられた電源回路からケーブルを介して前記ＬＥＤに給電するコネクタと、を有する直管形ＬＥＤランプにおいて、前記ケーブルの一部と前記コネクタとを覆うカバーを有することにより、従来の蛍光ランプと同形状を維持しつつ、コネクタ及びケーブルをランプ端部内に収納し、外観を損なわないランプを提供することができるという効果を奏する。
【図面の簡単な説明】
【００１５】
【図１】従来のコネクタ給電方式の直管形ＬＥＤランプを照明器具に設置した例。
【図２】２灯用直付器具に直管形ＬＥＤランプを装着した際の簡易断面図。
【図３】実施例１の直管形ＬＥＤランプの全体図。
【図４】実施例１の図３のＡ部拡大図。
【図５】実施例１のコネクタ付Ｇ１３口金の分解図。
【図６】（ａ）実施例１のコネクタ付Ｇ１３口金にコネクタのみを接続した図。（ｂ）実施例１のＢ−Ｂ′断面図。
【図７】実施例２の説明図。
【図８】実施例３の説明図。
【図９】実施例４の説明図。
【図１０】実施例４の説明図。
【図１１】実施例５の説明図。
【図１２】実施例５の説明図。
【図１３】図６（ａ）における照明装置の全体図。
【図１４】図６（ｂ）における照明装置の全体図。
【発明を実施するための形態】
【００１６】
以下、本発明の実施例を図を用いて説明する。
【実施例１】
【００１７】
図３は課題を解決する本発明の一実施例で、本発明による４０Ｗ形直管蛍光ランプ（ＦＬ４０，ＦＬＲ４０，ＦＨＦ３２）代替えの直管形ＬＥＤランプ２０の全体図であり、図４は図３における直管形ＬＥＤランプ２０のＡ部拡大斜視図である。本実施例の直管形ＬＥＤランプ２０は、直管蛍光ランプ代替えであるため、基本形状は直管蛍光ランプと互換性のあるものであり、直管蛍光ランプと略同形状である。直管形ＬＥＤランプ２０が取り付けられる照明器具も直管蛍光ランプ用の照明器具と互換性のあるものである。
直管形ＬＥＤランプ２０の基本形状は直管蛍光灯と同様に棒状であり、両端部に口金を有するものである。
【００１８】
ここで、図１に記載した従来例では、直管形ＬＥＤランプ３のコネクタは、発光面側とは逆の照明器具側に接続するよう配置されており、照明器具に直管形ＬＥＤランプ３を設置した後、コネクタ５及びコネクタのリード線が多少ランプに隠れるため、コネクタが発光面側に接続するよう配置されたものよりは見た目がすっきりし、外観を損なわない。しかしランプによりコネクタ５及びリード線を隠しているため、リード線の長さが長いものでは隠れきれない恐れがある。また、コネクタが器具側になるためランプと器具との隙間が少ない器具ではコネクタ５が照明器具と干渉し、と直管形ＬＥＤランプ３のコネクタに設置できない恐れがある。また最初にコネクタ５をランプに接続し、その後ランプをソケット４に取り付ける手順になり、高い天井での作業を考慮すると作業性が悪く、回転式のソケットの場合においては、ランプ回転時にコネクタが外れてしまう可能性がある等の恐れがある。
【００１９】
図２に記載した従来例では、基本的にランプには極性が無いため、ランプの向きはどちらにも切り替え可能ではあるが、２灯用照明器具において図のようにコネクタが横方向に配置される場合、発光面側が片方向に限定されている直管形ＬＥＤランプでは、コネクタを２本とも照明器具長手方向の一方に合わせると、コネクタの向きは限定されてしまう。つまりコネクタ９，１２共にランプに対して向かって右側になる。そのため直管形ＬＥＤランプ３においては、リード線１０は目立ちにくいが、コネクタ９と反射板６のスペースが狭く、取り付け難い若しくは干渉してしまう恐れがある。一方、直管形ＬＥＤランプ１１は反射板６とのスペースは十分だが、リード線１３の引き回しが長くなり目立ってしまう恐れがある。またリード線の引き回しが長く、反射板からの露出する長さが８０mm以上になると張力止め等の追加工が必要になる恐れもある。
【００２０】
図１，図２に示した従来例からは、このようにコネクタ位置は照明器具の種類や隙間等により作業性や見栄え等大きく影響することがわかる。特に先にコネクタをランプに接続してから、ランプをソケットに取り付ける場合は、不安定な体制に成りがちな高い天井での作業を考慮すると安全性，作業性において課題が大きいと思われる。
【００２１】
図３及び図４において、直管形ＬＥＤランプ２０は、実装基板２１に複数個配置されたＬＥＤ２２，ヒートシンク２３，ＬＥＤ２２からの光を拡散させる樹脂カバー２４，Ｇ１３口金２５，コネクタ付Ｇ１３口金２６から構成され、全体として棒状の形状となっている。Ｇ１３口金２５及びコネクタ付Ｇ１３口金２６は一対の構成となっており、それぞれがランプ両端に設けられている。本実施例においては、４０Ｗ形直管蛍光ランプ代替えであるためＧ１３口金２５及びコネクタ付Ｇ１３口金２６は直管蛍光ランプ専用口金である「Ｇ１３」口金と構造的に互換性のある構造としており、共に口金ピン３４，３４と、口金胴部２７，３２を要している。Ｇ１３口金２５は口金ピン３４と口金胴部２７とで構成される。また、コネクタ付Ｇ１３口金２６は口金ピン３４と口金胴部３２などで構成される（後述）。Ｇ１３口金２５及びコネクタ付Ｇ１３口金２６の口金径及び口金ピン３４，３４の配置及び寸法は基本的に同一である。口金ピン３４，３４が照明器具１のソケット４に接続されることで照明器具１に直管形ＬＥＤランプ２０が保持される。後述するが、照明器具から直管形ＬＥＤランプ２０への給電は口金ピン３４からではなく、コネクタ３３・３５により行われる。口金ピン３４はあくまでも照明器具１に直管形ＬＥＤランプ２０を保持するために設けられているものである。ヒートシンク２３はＬＥＤ２２から発する熱を放熱する役割を持つ。通常は実装基板２１とヒートシンク２３は密着接続されるが、より放熱性を高めるために実装基板２１とヒートシンク２３の間に熱伝導部材を介しても構わない。樹脂カバー２４は電気的な絶縁及び光を拡散する役割を持ち、例えば材料にはポリカーボネートを用いている。これにより、樹脂カバー２４を触ったとしても感電することはない。本実施例においては、樹脂カバー２４はＬＥＤ２２を覆うような筒状であり、ヒートシンク２３を樹脂カバー２４内に収納している。しかし、ヒートシンク２３が樹脂カバー２４外に露出していても構わない。なお樹脂カバー２４は光を拡散させるため乳白色の樹脂を使用することが望ましいが、明るさを重視する目的で透明樹脂を用いてもよい。また樹脂カバーの替わりにガラスチューブを用いてもよい。本実施例では構造説明をしやすくする目的で透明樹脂を用いている。
【００２２】
図５はコネクタ付Ｇ１３口金２６の分解図を示している。コネクタ付Ｇ１３口金２６は口金カバー３１，口金胴部３２，コネクタ（受け側）３３，口金ピン３４から構成されている。コネクタ（受け側）３３及びコネクタ３５のコネクタ嵌合部３９にはそれぞれ金属電極が設けられている。また、コネクタ（受け側）３３の金属電極はＬＥＤ２２と電気的に接続されている。リード線３６は、一方はコネクタ３５の金属電極部に、もう一方は直管形ＬＥＤランプ電源回路２の出力端に接続されている。なお本実施例においてはコネクタ（受け側）３３とコネクタ３５に２端子コネクタを用いているが、必要に応じて３端子以上のコネクタを使用することも可能である。コネクタ３５及びコネクタ（受け側）３３は一対で構成される。コネクタ３５を図５の矢印の方向（下方から上方）に挿入し、互いの金属電極部を嵌合させることで電気的接続を果たし、リード線３６とコネクタ３５とコネクタ（受け部）３３を介して電源回路２の電気的出力をＬＥＤ２２に伝え、ＬＥＤ２２を点灯させることができる。コネクタ３５は手に持ちやすいように横幅９.５mm，縦幅１０mm，厚み８mmのつまみ部３８を設け、つまみ部上部中央にはリード線３６を通すためのスリット３７が設けてあり左右どちらにも引き回すことができる構造になっている。口金カバー３１はコネクタ３５接続後、口金胴部３２に被せコネクタ３５及びリード線３６の一部を隠す役割を果たす。口金カバー３１を口金胴部３２に取り付けることによって発光面側からリード線３６が見えなくなり、外観の向上につながる。更に、口金カバーがリード線の一部を隠すことによりリード線３６が発光面側に出ることを防いでいる。これにより影等による照明性能低下を防止している。また、口金カバー３１を設けることで、コネクタ３３が覆われることになり、コネクタ３３にゴミ・ほこりが進入することを防止することにつながる。これにより安全性の向上につながる。また、金属電極部を覆うことになるため誤って触れ感電するということを防いでいる。また、コネクタ３３とコネクタ３５とを接続した後に口金カバー３１を取り付けることによりコネクタ３５が脱落することを防いでいる。また口金カバー３１を取り付けることで、リード線が引っ張られてもリード線根元１カ所に引っ張り応力が集中することを抑えることができるため結果的にリード線引っ張り強度を向上することもできる。なおＧ１３口金２５及びコネクタ付Ｇ１３口金２６の口金ピン３４は共に電気的に絶縁されている。
【００２３】
本実施例において、口金カバー３１は半円柱の側面部３１ａと、底面部３１ｂと、側面部３１ａから口金カバー３１の内側に向かって凸となる係止部３１ｃとからなる。口金胴部３２には口金カバー３１の係止部３１ｃと係止する部分が設けられている。口金胴部３２にも受けられた係止する部分と係止部３１ｃとが係止することによって口金カバー３１は口金胴部３２に係止される。
【００２４】
次に実際のコネクタ挿入方法について説明する。図６（ａ）はコネクタ付Ｇ１３口金２６にコネクタ３５のみを接続した状態を示す。図１３は図６（ａ）時の照明装置の全体図である。本発明品のコネクタ３５は２本の口金ピン３４に対して約９０°の位置で且つ発光面側に取り付ける構造になっている。そのためコネクタは照明器具を選ばず、常にソケットにランプを取り付け固定させてから接続させることが可能となる。コネクタ（受け側）３３の開口側（コネクタ３５が取り付けられる側）は直管形ＬＥＤランプ２０の発光面側となっている。これによりソケット４に口金ピン３４を取り付け直管形ＬＥＤランプ２０を照明器具に保持させた状態としたときに、コネクタ（受け側）の開口側は下方向を向く。これにより、ソケット４に口金ピン３４を取り付け直管形ＬＥＤランプ２０を照明器具に保持させた状態とした後に照明器具が邪魔となりコネクタ３３と３５とが接続できなくなるということはなくなる。また、ソケット４に口金ピン３４を取り付け直管形ＬＥＤランプ２０を照明器具に保持させた状態としてからコネクタ３３と３５とを接続させることができるため、作業性の向上につながる。口金ピン３４を照明器具１のソケット４に取り付けた後にコネクタを挿入するため指が入り易いように口金胴部３２の開口部を極力広く設けている。前述のようにコネクタ３５はつまみ部３８を持って差し込む構造としており、８mm程度のつまみやすい厚みで、つまみ上部をかまぼこ状にしているため軽く挿した後、指の甲で軽く上部を押し込み完全に接続させることができるよう工夫している。
【００２５】
図６（ｂ）は図４記載のＢ−Ｂ′断面図であり、コネクタ付Ｇ１３口金２６にコネクタ３５と口金カバー３１が取り付けられた状態を示す。図１４は図６（ｂ）時の照明装置の全体図である。図６（ｂ）のように口金カバー３１と口金胴部３２の間には左右それぞれにリード線３６を通すためのスキマ４０があり、スリット３７を介してリード線３６を左右どちらのスキマ４０からでも出すことが可能となる。スキマ４０を左右それぞれに設けたことにより、図２の２灯用器具のように器具の種類に応じてリード線を好きな方向から出すことができ、リード線３６の引き回しを最小限に抑えることができる。これにより照明器具からのリード線露出長さが８０mm以下に抑えられれば、張力止め追加工の削減する効果も得られる。また、コネクタ３５のつまみ部３８のかまぼこ状の上部と口金カバー３１の内側を同形状で接触させているため、仮に口金カバー３１を口金胴部３２に取り付ける前にコネクタ３５がコネクタ３３に差し込み不足でありコネクタ３５とコネクタ３３の金属電極部の接続が不十分であっても、口金カバー３１を口金胴部３２にはめれば自然と完全にコネクタ３５とコネクタ３３の金属電極部を接続させることができるようになっている。
【００２６】
本実施例においては、（１）発光面側からリード線が見えなくなることによる外観の向上。（２）ゴミ・ほこりの侵入防止による安全性の向上。（３）感電防止。（４）静電耐圧・耐電圧性能の向上。（５）コネクタの脱落防止。（６）取り付け作業性の向上。（７）コネクタリード線による影等による照明性能低下の防止。（８）リード線引っ張り強度の向上。（９）リード線引き回し長さの減少（張力止め追加工の削減）等の大きな効果を得ることができる。またさまざまな器具に対してもランプをソケット設置後にコネクタを取り付けることを考慮すると、コネクタ位置は口金ピンに対して約９０°の位置で且つ発光面側にすることが最良であり、本方式のように口金ピンを機械的保持の目的でのみ使用しているコネクタ給電方式においては、比較的スペースが設けられ、発光面側に設けても光学上影響の無い口金にコネクタを配置するのが最も効率的と考える。
【００２７】
なお本実施例では口金には直管蛍光ランプ専用口金である「Ｇ１３」口金と構造的に互換性のある構造としているが、その他にＧ５，Ｒ１７ｄ，ＲＸ１７ｄ等の直管蛍光ランプ用口金互換品においても適用可能であり、それ以外の非互換口金にも応用させることができる。また蛍光ランプの種類も４０Ｗ形代替えに限定されず、例えば２０Ｗ，１１０Ｗ形等の他品種においても適用できる。また本実施例ではコネクタ（受け側）３３を直管形ＬＥＤランプ２０の片側にのみ配置したが必要に応じて両端に設けても良い。また使用する光源においても、ＬＥＤ以外に有機ＥＬや複数のＣＣＦＬを用いることができる。またコネクタ形状や口金カバー及び口金胴部形状も本実施例に限定される物では無く、様々な形状にも応用させることができる。
【実施例２】
【００２８】
本発明における一実施例を図７を用いて説明する。図７は本発明における別形状の第２の実施例を示す図である。基本構成は図３と同様であり、（ａ）はランプ片側端部の拡大斜視図、（ｂ）はコネクタ３５のみ挿入した図、（ｃ）は（ｂ）の状態から口金カバー３１が口金胴部３２に取り付けられた状態の口金端部断面図を示す。構成部品が同じ物に関してはこれまでと同じ符号を用いる。本実施例では口金カバー３１の形状を替え口金胴部３２との嵌合を変更し、コネクタ３５をシンプルな形状にした物である。実施例１の係止部３１ｃの代わりに口金カバー３１の内側に係止部が設けられている。口金胴部３２には口金ピン３４と同じ方向に伸びる突起が設けられており、口金カバー３１の係止部は突起に引っ掛けられるような形状をしている。この引っ掛けにより口金カバー３１は口金胴部３２に取り付けられる。基本的な取り付け方法等は実施例１と同じとなる。
【実施例３】
【００２９】
本実施例における一実施例を図８を用いて説明する。図８は本発明における別形状の第３の実施例を示す。基本構成は図３と同様であり、構成部品が同じ物に関してはこれまでと同じ符号を用いる。本実施例は実施例１及び２の応用例で、口金カバー３１とコネクタ３５を一体とした一体型コネクタ４１を用いている。基本的な取り付け方法は実施例１，２と同じであるが、一体型になることで、カバーを取り付けるのと同時にコネクタ３５をコネクタ（受け側）３３に接続させることができるため、実施例１よりも作業性の向上に繋げることができる。
【実施例４】
【００３０】
本実施例における一実施例を図９及び図１０を用いて説明する。図９及び図１０は本発明における別形状の第４の実施例を示す。本実施例においても基本構成は図３と同様である。図３と異なる部分は口金部分であり、本実施例における口金部分は口金胴部５１，口金カバーリング５２，コネクタ５３，リード線５４，開口部５５からなっており、図９はコネクタを挿入した後の図、図１０はコネクタ挿入後口金カバーリング５２を開口部５５が照明器具側を向くよう回転させた後の図を示す。またそれぞれ（ａ）はランプ端部拡大斜視図、（ｂ）は口金断面図を示す。本実施例における特徴は口金カバーリング５２が口金胴部５１に対して３６０°回転する構造となっており、口金カバーリング５２の一部に開口部５５が設けられていることである。コネクタ５３を接続する際は図９のように口金カバーリング５２を回転させ、開口部５５を発光面側にする。その後、コネクタ５３を開口部５５から挿入する。その後口金カバーリング５２を回転させると口金カバーリング５２のカバー内に沿ってリード線５４が口金内に収納され、図１０のように発光面側とは逆方向である照明器具側に引き回すことができる。これにより他の実施例同様リード線が発光面側から見て隠れ、外観をすっきりさせることができる。なお、口金カバーリング５２は３６０°どちらの方向にも回転させることができるため、向かって時計回りに回転させればリード線を右側に、半時計回りに回転させれば左側に出すことができ、図２のような２灯用照明器具においてもリード線の引き回しを最小限に押さえることができる。なお開口部５５からコネクタ５３を挿入させるため開口部が狭すぎると指が入らず、また広すぎるとリード線を隠すことができないため、カバーリングの幅ｔは５mm以上、開口部の開口角度αは６０°以上１８０°以下であることが望ましい。なお口金胴部や口金カバーリング等の形状は本実施例に限定される物では無く、様々な形状にも応用させることができる。
【実施例５】
【００３１】
本実施例における一実施例を図１１と図１２とを用いて説明する。本実施例は実施例１〜４の応用例で、更なる付加機能を設けた例である。図１１は第５の実施例となる直管形ＬＥＤランプの全体図であり、ランプ両端には口金６１が設けられており、本実施例で使用する口金はＧ１３口金と構造的に互換性のある構造としており、口金６１にはそれぞれ口金ピン６２の他に突起部６３が設けられている。直管蛍光ランプに限らず、直管形ＬＥＤランプにおいても照明器具に装着させて使用するため、照明器具、特にソケットとの位置及び寸法関係が重要となる。仮にランプが両端のソケット間隔に対し短すぎる場合はランプは脱落し、長すぎる場合は入らなくなってしまう。そのためランプ長さとソケット間隔は例えばＪＩＳ等の規格で規定されているのが一般的である。
【００３２】
図１２は従来品と本実施例における直管形ＬＥＤランプを照明器具に装着した際のランプとソケットとの位置関係を図示した物である。（ａ）は従来ランプ、（ｂ）及び（ｃ）は本発明品である。６４はソケットを示す。前述のようにランプ及びソケット取り付け間隔は規格で定められており、その基準内で製作されれば脱落や入らない等の不具合は生じないように設定されており、各メーカもランプやソケット取り付け間隔の製造バラツキも規格内に収まるよう配慮している。しかし直管形ＬＥＤランプは従来の蛍光ランプと比較し、重量が重く、かつ熱収縮の影響が大きい傾向にあるため、脱落防止に対する配慮としてソケットに確実に装着させることが重要となる。仮にバラツキ等により規格内であってもランプ長が短く、熱収縮によりソケット間隔に対しランプが短くなると、両端のソケット６４とランプ間に隙間ができ、且つ図１２（ａ）のようにランプがどちらか一方に片寄って取り付けられると一方の口金ピンの保持が少なくなり、ランプの接続が不安定になることが想定される。そのため両端の口金６１端部の中央付近に突起部６３を設けた。ソケットとランプ間に隙間ができると、口金ピンとソケットとの機械的接続が弱くなるが、この隙間は同じソケット間隔とランプ長の関係であっても、ランプが片側に偏って取り付けられる場合とランプが両端のソケットに対して中心に取り付けられている場合では大きく異なる。後者の場合はこの隙間がそれぞれ片方ずつに分散されるため、一方の隙間の幅は約半分になる。そのため前者よりソケットとランプとの保持をより強固にすることができる。
【００３３】
本実施例における突起部６３は仮に両端のソケット間隔に対してランプが短い場合に、ランプを一方に偏らせること無く中心に寄せる効果を持たせるものである。突起部６３の先端は半球状で、また構造的に弾性力を持っており、応力を加えて押し込むと引込む構造となっている。この突起部６３はランプ両端にそれぞれ設けているため、ランプ長が短い時は図１２（ｂ）のようにこの突起部６３の弾性力によりランプを両端のソケット中心付近に合わせることができる。一方ランプとソケット間の隙間が少ないもしくは無いような場合においては、図１２（ｃ）のように突起部６３が引込むため、ランプが入らない等の不具合は生じない。なお突起部６３がランプ端部から飛び出る幅は０.２５mm以上２mm以下が望ましい。以上のようにランプ両端に突起部６３を設けることで、ランプバラツキや熱収縮等のランプ全長の変化が起きても、ソケットとの機械的接続を強固に保つことができる。なお本実施例においては突起物を口金中央付近にそれぞれ一か所ずつ設けたが、これに限定するものではない。またソケットとの機械的接続を強固にする目的であれば別の構造でも構わない。
【産業上の利用可能性】
【００３４】
本発明は照明分野において利用される特許である。
【符号の説明】
【００３５】
１  照明器具
２，７  電源回路
３，８，１１，２０  直管形ＬＥＤランプ
４  ソケット
５，９，１２，３５，５３  コネクタ
６  反射板
１０，１３，３６，５４  リード線
２１  実装基板
２２  ＬＥＤ
２３  ヒートシンク
２４  樹脂カバー
２５  Ｇ１３口金
２６  コネクタ付Ｇ１３口金
３１  口金カバー
３２，５１  口金胴部
３３  コネクタ（受け側）
３４，６２  口金ピン
３７  スリット
３８  つまみ部
３９  コネクタ嵌合部
４０  スキマ
４１  一体型コネクタ
５２  口金カバーリング
５５  開口部
６１  口金
６３  突起部
６４  ソケット
【図１】
2014103118.tif 000003
【図２】
2014103118.tif 000004
【図３】
2014103118.tif 000005
【図４】
2014103118.tif 000006
【図５】
2014103118.tif 000007
【図６】
2014103118.tif 000008
【図７】
2014103118.tif 000009
【図８】
2014103118.tif 000010
【図９】
2014103118.tif 000011
【図１０】
2014103118.tif 000012
【図１１】
2014103118.tif 000013
【図１２】
2014103118.tif 000014
【図１３】
2014103118.tif 000015
【図１４】
2014103118.tif 000016